(57)【特許請求の範囲】
【請求項１】
交換機に接続される回線を閉結及び開放する通信手段と、ジョブを登録する登録手段と、画データを記録紙に記録する記録手段と、その記録手段が動作不能の場合は、前記交換機に通信端末装置が使用中であると認識させるために通信手段に回線を閉結させて着信を不能にし、登録手段に登録されたジョブが発呼時刻に達した場合には、通信手段に回線を一旦開放させたあとに閉結させることにより発呼する制御手段とを備えた通信端末装置。
【請求項２】
請求項１に記載の通信端末装置において、制御手段は、送信ジョブを登録手段に登録し、受信ジョブを登録手段に登録しない通信端末装置。
【請求項３】
請求項１に記載の通信端末装置において、制御手段は、送信及び受信ジョブを登録手段に登録し、記録手段が動作可能となった場合には、受信するジョブを実行する通信端末装置。
【発明の詳細な説明】
【０００１】
【発明の属する技術分野】
本発明は、複写機能付きファクシミリ装置等の通信端末装置に関し、より詳しくは記録紙やトナーが無くなった場合、或いは感光体ドラムが交換時期に達した場合のように記録部が動作不能になったときの動作に特徴を有する通信端末装置に関するものである。
【０００２】
【従来の技術】
従来より、複写機能付きファクシミリ装置等の通信端末装置において、記録紙やトナーが無くなった場合、或いは感光体ドラムが交換時期に達した場合のように記録部が動作不能になったときには、その旨が表示部に表示される。そして、その表示に基づいて、操作者により記録紙やトナーの補充され、或いはサービスマンにより感光体ドラムが交換されると、記録部の動作が可能となる。
【０００３】
ところで、画像メモリを備えた複写機能付きファクシミリ装置、すなわちメモリ受信が可能な複写機能付きファクシミリ装置の場合において、記録部が動作不能の場合は、受信画データを画像メモリに記憶する、いわゆるメモリ代行受信が行われる。しかし、画像メモリの記憶容量を越えてまでもはメモリ代行受信することができない。このため、メモリ代行受信ができない状態に達した場合には、ファクシミリ受信が行われないように回線を閉結させていた。
【０００４】
【発明が解決しようとする課題】
しかしながら、このように記録部が動作不能であっても、回線を開放してファクシミリ送信することは可能であるため、送信予約（即時送信を含む）やポーリング予約の設定を行って、送信予約やポーリング予約のジョブを登録しておきたい場合がある。そして、登録したジョブが発呼時刻に達した場合には、ジョブに基づく相手先に発呼させたい。
【０００５】
本発明は、このような問題点に着目してなされたものであって、その目的は、記録部が動作不能な場合であっても、ジョブが発呼時刻に達した場合には、ジョブに基づく相手先に発呼することが可能な通信端末装置を提供することにある。
【０００６】
【課題を解決するための手段】
上記の目的を達成するために、請求項１に記載の発明では、交換機に接続される回線を閉結及び開放する通信手段と、ジョブを登録する登録手段と、画データを記録紙に記録する記録手段と、その記録手段が動作不能の場合は、前記交換機に通信端末装置が使用中であると認識させるために通信手段に回線を閉結させて着信を不能にし、登録手段に登録されたジョブが発呼時刻に達した場合には、通信手段に回線を一旦開放させたあとに閉結させることにより発呼する制御手段とを備えた。
【０００７】
請求項２に記載の発明では、請求項１に記載の通信端末装置において、制御手段は、送信ジョブを登録手段に登録し、受信ジョブを登録手段に登録しない。
請求項３に記載の発明では、請求項１に記載の通信端末装置において、制御手段は、送信及び受信ジョブを登録手段に登録し、記録手段が動作可能となった場合には、受信するジョブを実行する。
【０００８】
【発明の実施の形態】
以下に、本発明に係る通信端末装置を複写機能付きファクシミリ装置に具体化した一実施形態を図面を用いて説明する。
【０００９】
図１に示すように、複写機能付きファクシミリ装置１は、ＭＰＵ１０、ＲＯＭ２０、ＲＡＭ３０、読取部４０、記録部５０、操作部６０、表示部７０、画像メモリ８０、コーデック９０、モデム１００、ＮＣＵ１１０及び鳴動部１２０から構成され、各部１０〜１２０がバス１３０を介してそれぞれ接続されている。
【００１０】
ＭＰＵ１０は、複写機能付きファクシミリ装置１を構成する各部を制御する。ＲＯＭ２０は、複写機能付きファクシミリ装置１を制御するためのプログラムを記憶する。ＲＡＭ３０は、複写機能付きファクシミリ装置１に関する各種情報を記憶する。また、ＲＡＭ３０は、複写機能付きファクシミリ装置１で発生するジョブを記憶するキュー３１を備えている。
【００１１】
読取部４０は、原稿上の画像を１ライン分ずつ読み取って、その読み取った画像の画データを白黒２値化し、その２値化した１ライン分の画データをコーデック９０に順次出力する。
【００１２】
記録部５０は、電子写真方式のプリンタよりなり、ＦＡＸ動作において受信画データを、コピー動作において読取部４０で読み取った画データを、記録紙上に記録する。また、記録部５０は、記録紙センサ５１、トナーセンサ５２及びドラムセンサ５３を備えている。記録紙センサ５１は、記録紙カセットに収容された記録紙の有無を検出して、その検出信号をＭＰＵ１０に出力する。トナーセンサ５２は、トナーケースに収容されたトナーの有無を検出して、その検出信号をＭＰＵ１０に出力する。ドラムセンサ５３は、感光体ドラムの回転を検出して、その検出信号をＭＰＵ１０に出力する。そして、ＭＰＵ１０は、ドラムセンサ５３からの検出信号に基づいて、感光体ドラムの総回転時間を算出し、感光体ドラムの交換時期であるか否かを判断する。
【００１３】
操作部６０は、ＦＡＸ／コピーキー６１、短縮／電話帳キー６２、ワンタッチキー６３、テンキー（＊，＃キーを含む）６４、スタートキー６５及び設定キー６６等の各種操作キーを備えている。ＦＡＸ／コピーキー６１は、ＦＡＸモード又はコピーモードに設定するためのものである。短縮／電話帳キー６２は、予め登録した相手先の電話番号（ＦＡＸ番号を含む）を短縮番号で指定するためのものであるとともに、予め登録した相手先を電話帳で検索して相手先の電話番号を指定するためのものである。ワンタッチキー６３は、予め登録した相手先をワンタッチで指定するためのものである。テンキー６４は、相手先の電話番号又はコピー部数等を入力するためのものである。スタートキー６５は、ＦＡＸの送信原稿又はコピー原稿の読み取り動作を開始させるためのものである。設定キー６６は、送信日時を予約するための送信予約の設定を、ポーリングを予約するためのポーリング予約の設定を、呼出音を中断させるための呼出中断の設定を、それぞれ行うためのものである。
【００１４】
ＬＣＤ等よりなる表示部７０は、複写機能付きファクシミリ装置１の動作状態等の各種情報の表示を行う。
画像メモリ８０は、受信画データや読取部４０で読み取られた画像の画データを一時的に記憶する。コーデック９０は、読取部４０から入力された画データを送信のためにＭＨ，ＭＲ，ＭＭＲ，ＪＢＩＧ方式等により帯域圧縮して符号化（エンコード）する。また、コーデック９０は、受信画データを復号（デコード）する。
【００１５】
モデム１００は、ＩＴＵ−Ｔ勧告Ｔ．３０に従ったファクシミリ伝送制御手順に基づいて、Ｖ．１７，Ｖ．２７ｔｅｒ，Ｖ．２９等に従った送受信データの変調及び復調を行う。ＮＣＵ１１０は、電話回線Ｌの閉結及び開放を行うとともに、相手先の電話番号に対応したダイヤル信号の送出及び着信を検出するための機能を備えている。鳴動部１２０は、呼出信号に基づき呼出音を鳴動し、電話が着信した旨を報知する。
【００１６】
次に、ＮＣＵ１１０の構成について説明する。
図２に示すように、モデム１００は、トランス１１１を介して電話回線Ｌ（Ｌ１，Ｌ２）に接続されている。ＣＭＬリレー１１２は、電話回線Ｌとモデム１００との間に配置され、リレー制御部１１３からの制御により、電話回線Ｌを閉結及び開放する。なお、電話回線Ｌは、閉結に伴いモデム１００を介した直流ループを形成し、開放に伴いその直流ループを開放する。ダイヤル信号発生回路１１４は、トランス１１１とＣＭＬリレー１１２との間に配置され、リレー制御部１１３からの制御によりダイヤル信号を発生する。
【００１７】
呼出信号検出回路１１５は、電話回線Ｌに接続され、その電話回線Ｌ上の１６〔Ｈｚ〕の呼出信号を検出して、その検出信号をＭＰＵ１０に出力する。第１及び第２オフフック検出回路１１６，１１７は、それぞれ付属電話機１４１及び子電話機１４２のオフフック（ハンドセットを取り上げた状態）を検出して、その検出信号をＭＰＵ１０に出力する。
【００１８】
第１及び第２リレー１１８，１１９は、それぞれ付属電話機１４１及び子電話機１４２を電話回線Ｌに接続するために設けられている。リレー制御部１１３は、ＭＰＵ１０からの制御に基づいて、ＣＭＬリレー１１２、ダイヤル信号発生回路１１４、第１及び第２リレー１１８，１１９を制御する。
【００１９】
次に、記録部５０が動作不能の場合であって、画像メモリ８０がメモリオーバーの場合における複写機能付きファクシミリ装置１の動作について、図３〜図５に示すフローチャートを用いて説明する。なお、この動作は、ＲＯＭ２０に記憶されたプログラムに基づき、ＭＰＵ１０の制御により実行される。
【００２０】
ステップＳ１においては、記録紙センサ５１からの検出信号に基づいて、記録紙の有無が判断される。記録紙が無い場合は、ステップＳ６に移行する。一方、記録紙がある場合は、ステップＳ２に移行する。
【００２１】
ステップＳ２においては、トナーセンサ５２からの検出信号に基づいて、トナーの有無が判断される。トナーが無い場合は、ステップＳ６に移行する。一方、トナーがある場合は、ステップＳ３に移行する。
【００２２】
ステップＳ３においては、ドラムセンサ５３からの検出信号に基づいて、感光体ドラムの交換時期であるか否かが判断される。感光体ドラムの交換時期である場合は、ステップＳ６に移行する。一方、感光体ドラムの交換時期ではない場合は、ステップＳ４に移行する。
【００２３】
ステップＳ４においては、呼出信号検出回路１１５からの検出信号に基づいて、着信が検出されたか否かが判断される。着信が検出された場合は、ステップＳ５に移行する。そして、相手先からファクシミリ装置であることを示すＣＮＧ信号が送信されてきて、ファクシミリ伝送制御手順に基づくファクシミリ通信が開始されると、ステップＳ５においては、画データが受信され、その受信画データが記録部５０で記録紙上に記録される。そして、記録部５０での記録が終了すると、前記ステップＳ１に移行する。つまり、記録紙及びトナーがあり、感光体ドラムが交換時期に達していない場合には、前記ステップＳ１〜ステップＳ５の処理が繰り返される。一方、着信が検出されない場合は、ステップＳ１０に移行する。
【００２４】
前記ステップＳ１，Ｓ２において記録紙やトナーが無くなった場合、或いは前記ステップＳ３において感光体ドラムが交換時期に達した場合のように記録部５０が動作不能になった場合には、ステップＳ６において、画像メモリ８０がメモリオーバーか否かが判断される。メモリオーバーの場合は、ステップＳ１０に移行する。一方、メモリオーバーでない場合は、ステップＳ７に移行する。
【００２５】
ステップＳ７においては、呼出信号検出回路１１５からの検出信号に基づいて、着信が検出されたか否かが判断される。着信が検出された場合は、ステップＳ８に移行する。そして、相手先からファクシミリ装置であることを示すＣＮＧ信号が送信されてきて、ファクシミリ伝送制御手順に基づくファクシミリ通信が開始されると、ステップＳ８においては、いわゆるメモリ代行受信が行われる。そして、メモリ代行受信が終了すると、前記ステップＳ１に移行する。つまり、記録紙やトナーが無くなった場合、或いは感光体ドラムが交換時期に達した場合のように記録部５０が動作不能になった場合であっても、画像メモリ８０がメモリオーバーになるまでは、メモリ代行受信が行われる。一方、着信が検出されない場合は、ステップＳ１０に移行する。
【００２６】
ステップＳ９においては、設定キー６６の操作に基づく送信予約の設定であるか否かが判断される。送信予約の設定である場合は、ステップＳ１１に移行する。一方、送信予約の設定でない場合は、図４に示すステップＳ２１に移行する。
【００２７】
ステップＳ１１においては、送信原稿が読取部４０に載置されて、送信予約の設定が終了するのが待たれる。具体的には、送信予約の設定としては、「送信日時」、「相手先のＦＡＸ番号」、「親展や同報等のＦＡＸ種別」等の項目が挙げられる。なお、この送信予約の設定において、「送信日時」の項目が設定されなかった場合は、即時送信であると判断される。
【００２８】
ステップＳ１２においては、スタートキー６５が操作されるのが待たれる。
ステップＳ１３においては、前記ステップＳ１２におけるスタートキー６５の操作に基づいて、送信予約のジョブがキュー３１に登録される。
【００２９】
図４に示すステップＳ２１においては、設定キー６６の操作に基づくポーリング予約の設定であるか否かが判断される。ポーリング予約の設定である場合は、ステップＳ２２に移行する。一方、ポーリング予約の設定でない場合は、ステップＳ２６に移行する。
【００３０】
ステップＳ２２においては、記録部５０の動作不能によって、電話回線Ｌが閉結中であるか否かが判断される。ここで、電話回線Ｌが閉結中であるか否かを判断しているのは、記録部５０の動作不能の原因が解消されて、電話回線Ｌが開放されている場合があり得るからである。そして、電話回線Ｌが閉結中である場合は、ステップＳ２３に移行する。一方、電話回線Ｌが閉結中でない場合、つまり電話回線Ｌが開放中である場合は、ステップＳ２４に移行する。
【００３１】
ステップＳ２３においては、設定キー６６の操作に基づくポーリング予約を受け付ける設定であるか否かが判断される。ポーリング予約を受け付ける設定である場合は、ステップＳ２４に移行する。一方、ポーリング予約を受け付ける設定でない場合は、ステップＳ２６に移行する。
【００３２】
ステップＳ２４においては、ポーリング予約の設定が終了するのが待たれる。具体的には、ポーリング予約の設定としては、「発呼日時」、「相手先のＦＡＸ番号」等の項目が挙げられる。
【００３３】
ステップＳ２５においては、ポーリング予約のジョブがキュー３１に登録される。
ステップＳ２６においては、キュー３１に登録された送信予約のジョブ又はポーリング予約のジョブが、それぞれ送信予約の送信日時又はポーリング予約の発呼日時に達したか否かが判断される。送信予約の送信日時又はポーリング予約の発呼日時に達した場合は、ステップＳ２７に移行する。一方、送信予約の送信日時又はポーリング予約の発呼日時に達していない場合は、図３に示すステップＳ１に戻る。
【００３４】
ステップＳ２７においては、送信予約の送信日時又はポーリング予約の発呼日時に達したのは、ポーリング予約のジョブであるか否かが判断される。ポーリング予約のジョブである場合は、ステップＳ２８に移行する。一方、ポーリング予約のジョブでない場合、つまり送信予約の送信日時又はポーリング予約の発呼日時に達したのが、送信予約（即時送信を含む）のジョブである場合は、図５に示すステップＳ４１に移行する。
【００３５】
ステップＳ２８においては、記録部５０の動作不能によって、電話回線Ｌが閉結中であるか否かが判断される。これは、前記ステップＳ２２の場合と同様の理由に基づくものである。そして、電話回線Ｌが閉結中である場合は、図３に示すステップＳ１に戻る。一方、電話回線Ｌが閉結中でない場合、つまり電話回線Ｌが開放中である場合、換言すれば記録部５０の動作不能の原因が解消された場合は、ステップＳ２９に移行する。
【００３６】
ステップＳ２９においては、ＣＭＬリレー１１２により電話回線Ｌが閉結されて、前記ステップＳ２４におけるポーリング予約の設定において設定された相手先のＦＡＸ番号に対して発呼が行われる。
【００３７】
ステップＳ３０においては、相手先からの画データが受信されて、その受信画データが記録部５０で記録紙上に記録される。
図５に示すステップＳ４１においては、記録部５０の動作不能によって、電話回線Ｌが閉結中であるか否かが判断される。これも、図４に示すステップＳ２２の場合と同様の理由に基づくものである。そして、電話回線Ｌが閉結中である場合は、ステップＳ４２に移行する。一方、電話回線Ｌが閉結中でない場合、つまり電話回線Ｌが開放中である場合は、ステップＳ４９に移行する。
【００３８】
ステップＳ４２においては、ＣＭＬリレー１１２により電話回線Ｌが開放される。
ステップＳ４３においては、電話回線Ｌを開放させた状態で、１秒間待機する。すなわち、電話回線Ｌの閉結時間が長時間に亘ると、交換機は、複写機能付きファクシミリ装置１が電話回線Ｌを使用中であると認識して、以後ダイヤル信号発生回路１１４からのダイヤル信号を受け付けなくなる。そこで、ＣＭＬリレー１１２により電話回線Ｌを１秒間開放させているのである。
【００３９】
ステップＳ４４においては、呼出信号検出回路１１５からの検出信号に基づいて、着信が検出されたか否かが判断される。着信が検出された場合は、ステップＳ４５に移行する。一方、着信が検出されない場合は、ステップＳ４９に移行する。
【００４０】
ステップＳ４５においては、設定キー６６の操作に基づく呼出音を中断させるための呼出中断の設定であるか否かが判断される。呼出中断の設定である場合は、ステップＳ４６に移行する。一方、呼出中断の設定でない場合は、ステップＳ５２に移行する。
【００４１】
ステップＳ４６においては、ＣＭＬリレー１１２により電話回線Ｌが閉結される。
ステップＳ４７においては、発呼側がファクシミリ装置である場合に送出されてくるＣＮＧ信号がモデム１００で受信されたか否かが判断される。すなわち、前記ステップＳ４２において電話回線Ｌを開放したときにファクシミリ通信による受信があったか否かを判断しているのである。そして、ＣＮＧ信号を受信した場合は、ファクシミリ通信によるＦＡＸ受信であると判断して、ステップＳ４８に移行する。一方、ＣＮＧ信号を受信していない場合は、電話による着信であると判断して、ステップＳ５２に移行する。
【００４２】
ステップＳ４８においては、記録部５０が動作不能であるため、ＣＭＬリレー１１２により電話回線Ｌが開放される。すなわち、ファクシミリ通信によるＦＡＸ受信であっても、記録部５０が動作不能であって、かつメモリ代行受信もできないため、ＣＭＬリレー１１２により強制的に電話回線Ｌを開放しているのである。
【００４３】
ステップＳ４９においては、ＣＭＬリレー１１２により電話回線Ｌが閉結される。すなわち、前記ステップＳ１０における送信予約に基づくジョブが送信日時に達したため、ＣＭＬリレー１１２により電話回線Ｌを閉結しているのである。
【００４４】
ステップＳ５０においては、図３に示すステップＳ１１における送信予約の設定において設定された相手先のＦＡＸ番号に対して発呼が行われる。
ステップＳ５１においては、読取部４０に載置された送信原稿が、スキャナ送信される。すなわち、読取部４０で読み取られた画データがコーデック９０で圧縮符号化された後、画像メモリ８０に一旦記憶されずに、直接相手先に送信される。
【００４５】
呼出中断の設定でない場合、或いはＣＮＧ信号を受信していない場合は、ステップＳ５２において、呼出信号に基づく呼出音が鳴動部１２０から鳴動中であるか否かが判断される。鳴動中である場合は、ステップＳ５３に移行する。一方、鳴動中でない場合は、ステップＳ４９に移行する。
【００４６】
ステップＳ５３においては、第１及び第２オフフック検出回路１１６，１１７からの検出信号に基づいて、付属電話機１４１又は子電話機１４２がオフフックされたか否かが判断される。オフフックされた場合は、ステップＳ５４に移行する。一方、オフフックされない場合は、ステップＳ５２に戻って、呼出音が鳴動部１２０から鳴動され続ける。
【００４７】
ステップＳ５４においては、付属電話機１４１又は子電話機１４２のオフフックに基づいて、相手との間で通話が行われる。
ステップＳ５５においては、第１及び第２オフフック検出回路１１６，１１７からの検出信号に基づいて、付属電話機１４１又は子電話機１４２がオンフックされるのが待たれる。そして、オンフックされた場合は、ステップＳ４９に移行する。
【００４８】
以上、詳述したように本実施形態によれば、次のような作用、効果を得ることができる。
（１）記録部５０が動作不能の場合であって、画像メモリ８０がメモリオーバーの場合は、ＣＭＬリレー１１２により電話回線Ｌを閉結して、ファクシミリ通信によるＦＡＸ受信を拒否している。そして、送信予約（即時送信を含む）やポーリング予約が設定された場合において、送信予約のジョブ又はポーリング予約のジョブが送信日時又は発呼日時に達すると、ＣＭＬリレー１１２により電話回線Ｌを一旦開放して相手先に発呼を行っている。その結果、記録部５０が動作不能であって、画像メモリ８０がメモリオーバーの場合であっても、相手先に発呼することはできる。従って、記録部５０が動作不能の場合であって、画像メモリ８０がメモリオーバーの場合であっても、ファクシミリ送信することができる。
【００４９】
（２）ＣＭＬリレー１１２により電話回線Ｌを開放して相手先に発呼を行う場合において、着信が検出された場合は、ＣＮＧ信号がモデム１００で受信されたか否かを判断している。そして、ＣＮＧ信号が受信された場合、つまりファクシミリ通信による着信である場合は、記録部５０が動作不能であるため、ＣＭＬリレー１１２により電話回線Ｌを強制的に開放している。その後、電話回線Ｌを閉結して相手先に発呼している。従って、電話回線Ｌを開放して相手先に発呼を行う場合において、ファクシミリ通信によるＦＡＸ受信が検出された場合であっても、相手先に発呼することができる。一方、ＣＮＧ信号を受信していない場合は、電話による着信であると判断して、呼出信号に基づいて、呼出音を鳴動部１２０から鳴動している。従って、記録部５０が動作不能の場合であって、画像メモリ８０がメモリオーバーの場合であっても、電話による着信に対しては応答することができる。換言すれば、電話回線Ｌを不必要に開放させていない。よって、電話回線Ｌを有効に活用することができる。
【００５０】
（３）着信に基づく呼出を中断しない設定の場合において、着信に基づく鳴動部１２０からの呼出音が停止された場合、つまり発呼側が発呼を停止した場合には、ＣＭＬリレー１１２により電話回線Ｌを閉結させて、相手先に発呼している。このため、発呼側からの発呼が停止された場合には、素早くファクシミリ送信することができる。従って、記録部５０が動作不能の場合であって、画像メモリ８０がメモリオーバーの場合であっても、ファクシミリ送信することができる。
【００５１】
（４）記録部５０が動作不能の場合であって、画像メモリ８０がメモリオーバーの場合であっても、送信ジョブとしての送信予約（即時送信を含む）は、常に設定することができる。このため、送信予約の設定が行われた場合には、送信予約のジョブがキュー３１に登録される。従って、送信予約のジョブが送信日時に達した場合には、ジョブに基づく相手先に発呼を行うことができる。
【００５２】
（５）ポーリング予約は、設定キー６６の操作に基づくポーリング予約の受け付け設定に基づいて、受信ジョブとしてのポーリング予約が受け付けられる。このため、ポーリング予約の受け付け設定がポーリング予約を受け付けない設定の場合には、ポーリング予約を行うことができない。従って、複写機能付きファクシミリ装置１が受信不可能な状態である旨、つまり記録部５０が動作不能であって、画像メモリ８０がメモリオーバーであることを報知することができる。
【００５３】
（６）一方、設定キー６６の操作に基づくポーリング予約が受け付けられる設定の場合には、常にポーリング予約の設定ができる。このため、ポーリング予約の設定が行われた場合には、ポーリング予約のジョブがキュー３１に登録される。従って、記録部５０の動作不能の原因が解消された後、ポーリング予約のジョブが発呼日時に達した場合には、ジョブに基づく相手先に発呼を行うことができる。
【００５４】
（７）しかも、記録部５０の動作不能の原因が解消されてから、ポーリング予約によるポーリングが実行されている。このため、ポーリングが実行されても、確実にポーリングによる受信画データを記録部５０で記録紙上に記録することができる。従って、ポーリング予約によるポーリングが実行されても、何ら問題が発生する余地はない。
【００５５】
（８）記録部５０が動作不能の場合であって、画像メモリ８０がメモリオーバーの場合であっても、送信予約（即時送信を含む）は、常に設定することができる。また、設定キー６６の操作に基づくポーリング予約が受け付けられる場合には、常にポーリング予約の設定ができる。その結果、送信予約又はポーリング予約をし忘れることはない。
【００５６】
なお、前記実施形態は、次のように変更して具体化することも可能である。
・記録部５０が動作不能の場合であって、画像メモリ８０がメモリオーバーの場合には、その旨を表示部７０に表示するとともに、送信予約は可能である旨を表示部７０に表示する構成にしても良い。このように構成すれば、使用者に対して送信予約が可能である旨を報知することができる。
【００５７】
・加えて、ポーリング予約を受け付ける設定の場合にも、ポーリング予約は可能である旨を表示部７０に表示する構成にしても良い。このように構成すれば、使用者に対してポーリング予約が可能である旨を報知することができる。
【００５８】
・前記実施形態を、画像メモリ８０を備えていない複写機能付きファクシミリ装置１に適用しても良い。このように構成すれば、記録部５０が動作不能な場合であっても、ファクシミリ送信することができる。
【００５９】
・感光体ドラムの回転を検出するドラムセンサ５３に代えて、感光体ドラムを回転駆動させるためのモータの駆動時間に基づいて、感光体ドラムの交換時期であるか否かを判断する構成にしても良い。
【００６０】
・前記実施形態を単体のファクシミリ装置に適用しても良い。
さらに、前記実施形態等より把握される請求項以外の技術的思想について、以下にそれらの効果と共に記載する。
【００６１】
〔１〕回線を閉結及び開放する通信手段と、画データを記憶する記憶手段と、ジョブを登録する登録手段と、画データを記録紙に記録する記録手段と、その記録手段が動作不能の場合であって、記憶手段が容量オーバーの場合は、通信手段に回線を閉結させて着信を不能にし、登録手段に登録されたジョブが発呼時刻に達した場合には、通信手段に回線を一旦開放させる制御手段とを備えた通信端末装置。このように構成すれば、記録手段が動作不能な場合であって、記憶手段が容量オーバーであっても、ジョブを登録することができる。
【００６２】
〔２〕請求項１に記載の通信端末装置において、ジョブを登録できる旨を表示する表示手段を備え、制御手段は、記録手段が動作不能になった場合には、ジョブを登録できる旨を表示手段に表示する通信端末装置。このように構成すれば、記録手段が動作不能になった場合でも、使用者に対してジョブを登録することができる旨を知らせることができる。
【００６３】
【発明の効果】
請求項１〜請求項３のいずれか１項に記載の発明によれば、記録手段が動作不能な場合であっても、ジョブが発呼時刻に達した場合には、ジョブに基づく相手先に発呼することができる。
【図面の簡単な説明】
【図１】複写機能付きファクシミリ装置の構成を示すブロック図。
【図２】ＮＣＵの構成を示すブロック図。
【図３】記録部が動作不能の場合であって、画像メモリがメモリオーバーの場合における複写機能付きファクシミリ装置の動作を示すフローチャート。
【図４】記録部が動作不能の場合であって、画像メモリがメモリオーバーの場合における複写機能付きファクシミリ装置の動作を示すフローチャート。
【図５】記録部が動作不能の場合であって、画像メモリがメモリオーバーの場合における複写機能付きファクシミリ装置の動作を示すフローチャート。
【符号の説明】
１…通信端末装置としての複写機能付きファクシミリ装置、１０…制御手段を構成するＭＰＵ、２０…制御手段を構成するＲＯＭ、３０…制御手段を構成するＲＡＭ、３１…登録手段としてのキュー、５０…記録手段としての記録部、７０…表示手段としての表示部、８０…記憶手段としての画像メモリ、１１０…通信手段としてのＮＣＵ、Ｌ…回線としての電話回線。
【図１】
0004123697.tif 000002
【図２】
0004123697.tif 000003
【図３】
0004123697.tif 000004
【図４】
0004123697.tif 000005
【図５】
0004123697.tif 000006